(57)【要約】【課題】梱包されている商品の商品識別性を高め、小売り店舗などにおける店頭作業者の商品陳列の作業効率を向上させるとともに、商品陳列時における購買者への視覚的な宣伝効果も向上させ、購買者への商品の訴求力を高めることができる段ボール製の包装箱を提供する。【解決手段】包装箱１の外表面に詰替え用パウチ（被包装物）８を模した意匠９を印刷し、該意匠９は、カットテープ１０に沿って包装箱の一部をカットした際に、少なくとも箱の表面に残った意匠９の残り部分の一部と箱内に収納されている詰替え用パウチ８とが図柄的に概略連続性を持って視認されるようなデザインとし、かつ、該意匠９の印刷される表ライナーのＬ＊値（Ｄ６５  ２°視野）［ＣＩＥ規定のＬ＊ａ＊ｂ＊表色系］）を６５未満とするとともに、詰替え用パウチを模した意匠９の印刷色の少なくとも１色に印刷後のＬ＊値（Ｄ６５  ２°視野）が６５以上となるインキを用いた。【選択図】      図３
2004231255.tif 000002
【特許請求の範囲】
【請求項１】
段ボール製になる包装箱であって、該包装箱の外表面には被包装物を模した意匠が印刷されており、
該意匠は、所定の切り取り線に沿って包装箱の一部をカットした際に、少なくとも箱の表面に残った意匠の残り部分の一部と箱内に収納されている被包装物とが図柄的に概略連続性を持って視認されるようなデザインとされ、かつ、該意匠の印刷される包装箱の表ライナーのＬ＊値（Ｄ６５  ２°視野）［ＣＩＥ（国際照明委員会）規定のＬ＊ａ＊ｂ＊表色系］を６５未満とするとともに、前記被包装物を模した意匠の印刷色の少なくとも１色に印刷後のＬ＊値（Ｄ６５  ２°視野）が６５以上となるインキを用いたことを特徴とする包装箱。
【請求項２】
前記意匠として、包装箱内における被包装物の実際の収納状態を模した意匠を採用し、該意匠を天面と底面を除く正面、背面、左右の側面の少なくともいずれか１面に施したことを特徴とする請求項１記載の包装箱。
【請求項３】
前記切り取り線によって包装箱の上部側を切り取るように構成し、該切り取られた包装箱の残りの底部側部分が被包装物陳列用のトレーとなることを特徴とする請求項１または２記載の包装箱。
【発明の詳細な説明】
【０００１】
【発明の属する技術分野】
本発明は、商品梱包用の段ボール製の包装箱に関するものである。
【０００２】
【従来の技術】
店頭での商品陳列に際し、商品を梱包した段ボール製の包装箱を多数積み上げ、上段側の箱の１つまたはいくつかについて、その上半部を開封して商品を露出させ、視覚的な宣伝効果によって購買者への商品の訴求力を高めようとする陳列方法が採られている。
【０００３】
【発明が解決しようとする課題】
上記のような陳列方法を採用する場合、店頭作業者は小売店舗の倉庫内から当該商品の入った包装箱を探し出し、店頭まで搬出して開封する必要がある。しかしながら、従来の包装箱の場合、その表面には商品名や物流上必要な情報のみが主として文字情報で印刷されているのが一般的であり、暗い倉庫内で目的とする商品の入った包装箱を探し出すにはかなりの労力と時間を必要としていた。一方、近時においては、小売り店舗では店頭作業者を減らす傾向にあり、店頭作業者の作業負担の軽減は社会的な要請ともなっている。
【０００４】
本発明は、上記問題を解決するためのなされたもので、梱包されている商品の商品識別性を高め、小売り店舗などにおける店頭作業者の商品陳列の作業効率を向上させるとともに、商品陳列時における購買者への商品の視覚的な宣伝効果も向上させ、購買者への商品の訴求力を高めた段ボール製の包装箱を提供することを課題とするものである。
【０００５】
【課題を解決するための手段】
上記課題を解決するため、本発明の包装箱は、包装箱の外表面に被包装物を模した意匠を印刷し、該意匠は、所定の切り取り線に沿って包装箱の一部をカットした際に、少なくとも箱の表面に残った意匠の残り部分の一部と箱内に収納されている被包装物とが図柄的に概略連続性を持って視認されるようなデザインとし、かつ、該意匠の印刷される包装箱の表ライナーのＬ＊値（Ｄ６５  ２°視野）［ＣＩＥ（国際照明委員会）規定のＬ＊ａ＊ｂ＊表色系］を６５未満とするとともに、前記被包装物を模した意匠の印刷色の少なくとも１色に印刷後のＬ＊値（Ｄ６５  ２°視野）が６５以上となるインキを用いたものである。
【０００６】
なお、前記意匠としては包装箱内における被包装物の実際の収納状態を模した意匠を採用し、該意匠を天面と底面を除く正面、背面、左右の側面の少なくともいずれか１面に施すことが好ましい。また、前記切り取り線によって包装箱の上部側を切り取るように構成し、該切り取られた包装箱の残りの底部側部分を被包装物陳列用のトレーとして用いるようにすることが好ましい。
【０００７】
【発明の実施の形態】
以下、本発明の実施の形態について図面を参照して説明する。
図１〜図３に本発明に係る包装箱の第１の実施の形態を示す。
図１は第１の実施の形態に係る包装箱の全体構造を示す斜視図、図２はその展開図、図３は該包装箱を用いた店頭陳列状態の例を示す図である。
【０００８】
この第１の実施の形態に係る包装箱１は、詰替え洗剤用スタンディングパウチ（以下、「詰替え用パウチ」と略称）のための包装箱の例を示すもので、箱全体が段ボールによって作られており、図２に示すように、正面板２、背面板３、左右の側面板４，４、底面板５ａ〜５ｄ、上蓋板６、上面フラップ７，７を有し、これらを組み立てることにより、図１に示すような所定容積からなる直方体状の包装箱１とされている。
【０００９】
この包装箱１の表ライナーには、Ｌ＊値（Ｄ６５  ２°視野）が６５未満の段ボール材が用いられており、この表ライナーを用いた包装箱１の正面板２、背面板３、左右の側面板４，４の表面に、印刷後のＬ＊値（Ｄ６５  ２°視野）が６５以上となるインキを用いて、箱内に梱包された詰替え用パウチ８（図３参照）の実際の収納状態を模した意匠９が印刷されている。
【００１０】
そして、上記詰替え用パウチ８を模した意匠９は、梱包されている詰替え用パウチ８を実際に正面側から見た時とほぼ同じ大きさおよび配置で印刷されており、後述するように、包装箱１の上部側を切り取った状態で包装箱１を正面側から見た時、少なくとも正面板２に残った意匠９の残り部分と箱内に収納されている詰替え用パウチ８とが概略連続性を持って視認されるようなデザインとされている。なお、この意匠９としては、詰替え用パウチ８を実際に収納状態に並べて撮った写真を用いてもよいし、直接印刷してもよい。
【００１１】
一方、包装箱１の下側約１／３の位置には、正面板２、背面板３、左右の側面板４，４の内面全周にわたって、合成樹脂製の幅約５ｍｍ程度のカットテープ１０が水平方向に貼着されており、図示を略した切り込み部から指を入れてこのカットテープ１０をつかみ、外側へ引っ張り出していくことにより、包装箱１の上側２／３を該カットテープ１０に沿って切り離すことができるようになっている。
【００１２】
上記構成になる包装箱１の場合、包装箱の外表面には、実際に梱包されている詰め替え用パウチ８と同じ図柄の意匠９が印刷されているので、小売り店舗などの倉庫において商品を探す場合、極めて簡単に目的とする商品の入った箱を探し出すことができる。しかも、包装箱１の表ライナーとしてＬ＊値が６５未満のものを用い、かつ、印刷するインキとして印刷後のＬ＊値が６５以上となるインキを用いているので、印刷された図柄の視認性に優れ、明るい店頭はもちろんのこと、薄暗い倉庫内においても明瞭に視認することができ、目的とする商品の入った包装箱を簡単に探し出すことができる。このため、店頭作業者の作業負担を軽減することが可能となる。
【００１３】
一方、上記包装箱１を用いた商品陳列に際しては、図３に示すように、詰替え用パウチ８を梱包された包装箱１を所要個積み上げ、上段側の任意の数の包装箱、例えば図示するように最上段の包装箱１について、カットテープ１０に沿って箱の上部側を切り取り、内部の詰替え用パウチ８を露出させた状態で陳列する。このような形態で商品陳列すると、最上段の包装箱１については、その上部側が切り取られているのでトレー状となり、包装箱１内から極めて簡単に商品を取り出すことができる。
【００１４】
また、箱の表面には商品の陳列状態を模した意匠９が施されているので、最上段の包装箱１は、その箱の上部側を切り取られているにもかかわらず、陳列されている箱を真正面から見た場合、図３に示すように、箱表面に印刷した意匠９の残った意匠部分と、詰替え用パウチ８の上部側とが連続一体的な図柄として視認され、極めて美麗で特異な宣伝効果を発揮することができる。
【００１５】
さらに、上部側が切り取られていない下側の包装箱１は、詰替え用パウチ８と同じ図柄からなる意匠９がその外表面に印刷されているため、図３に示すように、陳列されている箱をどの方向から見ても、その商品が詰替え用パウチであることを確実に知らせることができる。したがって、商品陳列時、段積みされた包装箱全体で極めて特異な宣伝効果と識別性を発揮することができ、購買者への商品の訴求力を一段と高めることができる。
【００１６】
なお、上記の例の場合、意匠９として、実際の詰替え用パウチ８を正面側から見たときの絵柄のみを採用したが、正面板２、背面板３、左右の側面板４，４ごとに、正面から見た図柄、背面から見た図柄、左右の側面から見た図柄をそれぞれ印刷するようにすれば、正面、背面、左右の側面のどの方向から見ても梱包されている実際の詰替え用パウチ８と連続一体的な図柄として視認でき、さらに好ましいものとなる。
【００１７】
図４〜図５に、本発明に係る包装箱の第２の実施の形態を示す。
図１は第２の実施の形態に係る包装箱の全体構造を示す斜視図、図２はその展開図、図３は該包装箱を用いた店頭陳列状態の例を示す図である。
【００１８】
第２の実施の形態に係る包装箱１は、上面フラップ１１ａ〜１１ｄがその形状において第１の実施の形態と異なるが、包装箱としての基本構成は前記第１の実施の形態のものとほぼ同じであるので、第１の実施の形態と同一もしくは同等の部分には同一の符号を付し、その詳細な説明は省略する。
【００１９】
第２の実施の形態に係る包装箱１が前記第１の実施の形態のものと大きく異なる点は、包装箱１の上部側を切り取るためのカットテープ１０に加え、正面板２と背面板３の中央位置に、詰替え用パウチ８を模した意匠９の一部を窓状に切り抜くためのミシン目などからなる切断用の切り込み１２を設けた点である。
【００２０】
この第２の実施の形態に係る包装箱１を用いた商品陳列に際しては、図６に示すように、詰替え用パウチ８を梱包された包装箱１を所要個積み上げ、上段側の任意の数の包装箱１、例えば図示するように最上段の包装箱１について、カットテープ１０を引っ張ってその上部側を切り取り、内部の詰替え用パウチ８を露出させた状態で陳列する。さらに、その下側の包装箱１については、必要に応じて切り込み１２の部分で正面板２の一部を切り抜いて窓部１３を形成し、該窓部１３を通して内部の詰替え用パウチ８が見えるようにする。
【００２１】
上記のような形態で商品陳列すると、最上段の包装箱１については、その上部側が切り取られているのでトレー状となり、包装箱１内から極めて簡単に商品を取り出すことができる。
【００２２】
また、箱表面には商品の陳列状態を模した意匠９が施されているので、最上段の包装箱１は、その箱の上部側を切り取られているにもかかわらず、例えばこれを真正面から見たとき、図６に示すように、箱表面に印刷した意匠９の下半部と、実際の詰替え用パウチ８の上部側とが連続一体的な図柄として視認され、極めて美麗で特異な宣伝効果を発揮することができる。
【００２３】
さらに、最上段よりも下の包装箱１には窓部１３が開けられ、この窓部１３を通して内部の詰替え用パウチ８が見えるようになり、しかも、この窓部１３を開けられた包装箱１についても、箱表面に印刷した意匠９の残りの部分と、実際の詰替え用パウチ８の上部側とが連続一体的な図柄として視認される。したがって、商品の陳列効果がさらに向上し、その視覚的な宣伝効果によって購買者への商品の訴求力をさらに高めることができる。
【００２４】
また、図６のように窓部１３を開けても、窓部１３を開けた後に残った正面板２の残り部分、背面板３，左右の側面板４，４によって、包装箱としての剛性を十分に保つことができる。したがって、何段にも積み重ねたすべての包装箱１について窓部１３を開け、すべての包装箱１において窓部１３から内部の詰替え用パウチ８が視認できるようにしても、積み上げた包装箱１が簡単に崩れるというようなこともない。
【００２５】
図７〜図９に、本発明に係る包装箱の第３の実施の形態を示す。
図７は第３の実施の形態に係る包装箱の全体構造を示す斜視図、図８はその展開図、図９は該包装箱を用いた店頭陳列状態の例を示す図である。
【００２６】
第３の実施の形態に係る包装箱１は、容器入り粉末洗剤のための包装箱の例を示すもので、図８に示すように、天面板２１、背面板２２、底面板２３および正面板２４が一体に連接されており、これら各板の上下両縁（図８において）に箱の側面を構成するフラップ２５ａ〜２５ｄと２６ａ〜２６ｄが形成され、さらに正面板２１の先端縁には糊代片２７が突設されており、これらを組み立てることにより、図７に示すような所定容積からなる直方体状の包装箱１としたものである。
【００２７】
この第３の実施の形態の場合、容器入り粉末洗剤２８（図９参照）を模した意匠２９は、底面板２３を除く各面に印刷されており、特に、正面、背面、左右の側面の４面には、梱包されている粉末洗剤用容器２８を実際に正面側から見た時と同じ大きさおよび配置で印刷され、後述するように、包装箱１の上部側を切り取った状態で包装箱１を正面側から見た時、少なくとも正面板２４に残った意匠２９の残り部分と箱内に収納されている容器入り粉末洗剤２８とが概略連続性を持って視認されるようなデザインとされている。
【００２８】
なお、この第３の実施の形態も、前記第１の実施の形態と同じように、箱の表ライナーにはＬ＊値（Ｄ６５  ２°視野）が６５未満の段ボール材が用いられており、容器入り粉末洗剤２８を模した意匠２９は印刷後のＬ＊値（Ｄ６５  ２°視野）が６５以上となるインキを用いて印刷されている。
【００２９】
一方、正面板２４、フラップ２５ｄ，２６ｄおよび背面板２２、フラップ２５ｂ，２６ｂの内面中央位置にはカットテープ１０が水平方向に貼着されており、正面側と背面側に形成したＨ形の切り込み部３０から指を入れてこのカットテープ１０をつかみ、外側へ引っ張り出していくことにより、包装箱１の上半部を該カットテープ１０に沿って切り離すことができるようになっている。また、天面板２１の前縁と左右両縁には切り離し用の切り込み３１が形成され、必要に応じてこの切り込み３１に沿って天面板２１を切り離し、天面板２１を開くことができるように構成されている。
【００３０】
上記構成になる包装箱１は、包装箱の外表面に実際に梱包されている容器入り粉末洗剤２８と同じ図柄の意匠２９が印刷され、しかも、包装箱１の表ライナーとしてＬ＊値が６５未満のものを用い、かつ、印刷するインキとして印刷後のＬ＊値が６５以上となるインキを用いているので、印刷された図柄の視認性に優れ、明るい店頭はもちろんのこと、薄暗い倉庫内においても明瞭に視認することができ、目的とする商品の入った包装箱を簡単に探し出すことができる。このため、店頭作業者の作業負担を軽減することが可能となる。
【００３１】
また、上記包装箱１を用いた商品陳列に際しては、図９に示すように、容器入り粉末洗剤２８を梱包された包装箱１を所要個積み上げ、上段側の任意の数の包装箱、例えば図示するように最上段の包装箱１について、カットテープ１０に沿って箱の上部側を切り取り、内部の容器入り粉末洗剤２８を露出させた状態で陳列する。このような形態で商品陳列すると、最上段の包装箱１については、その上部側が切り取られているのでトレー状となり、包装箱１内から極めて簡単に商品を取り出すことができる。
【００３２】
また、箱の表面には商品の陳列状態を模した意匠２９が施されているので、最上段の包装箱１は、その箱の上部側を切り取られているにもかかわらず、陳列されている箱を真正面から見た場合、図９に示すように、箱表面に印刷した意匠２９の残った意匠部分と、容器入り粉末洗剤２８の上部側とが連続一体的な図柄として視認され、極めて美麗で特異な宣伝効果を発揮することができる。
【００３３】
さらに、上部側が切り取られていない下側の包装箱１は、容器入り粉末洗剤２８と同じ図柄からなる意匠２９がその外表面に印刷されているため、図９に示すように、陳列されている箱をどの方向から見ても、その商品が容器入り粉末洗剤であることを確実に知らせることができる。したがって、商品陳列時、段積みされた包装箱全体で極めて特異な宣伝効果と識別性を発揮することができ、購買者への商品の訴求力を一段と高めることができる。
【００３４】
（実験例）
店頭およびバックヤード（配送用倉庫）における標準的証明条件を設定した評価室内に、白色相当のインキの白色度を変えた同一意匠の評価サンプルを設置し、それぞれの箱の目立ちやすさを比較した。その際、サンプルは箱を略１ｍの高さになるまで積み上げ、これを５ｍ離れた離れた地点から見ることで評価した。評価者は成人男女合計５０名で行い、目立つと感じた場合に１点、目立たないと感じた場合に０点とし、その合計をサンプルの評価点とした。その結果を表１に示す。
【００３５】
【表１】
2004231255.tif 000003
【００３６】
上記評価結果から明らかなように、明るい店頭（５００Ｌｘ）および薄暗いバックヤード（１０Ｌｘ）のいずれの条件下においても、インキ部のＬ＊値が６０と７０の間で識別性（意匠の目立ちやすさ）の評価が大きく分かれることが判明した。そこで、本発明は、識別性の分かれる６０と７０の中間値である６５以上をインキ部のＬ＊値（Ｄ６５  ２°視野）とし、これに対応して表ライナーのＬ＊値（Ｄ６５  ２°視野）を６５未満としたものである。
【００３７】
以上、本発明の実施の形態について説明したが、本発明は上記実施の形態に限定されるものではなく、発明の主旨を逸脱しない範囲内において種々の変形ならびに変更が可能であることは言うまでもない。
【００３８】
【発明の効果】
本発明の包装箱によれば、梱包されている商品の商品識別性を高め、小売り店舗などにおける店頭作業者の商品陳列の作業効率を向上させるとともに、商品陳列時における視覚的な宣伝効果も向上させ、購買者への商品の訴求力を高めることができる。
【図面の簡単な説明】
【図１】第１の実施の形態に係る包装箱の全体構造を示す斜視図である。
【図２】第１の実施の形態に係る包装箱の展開図である。
【図３】第１の実施に形態に係る包装箱を用いた店頭陳列状態の例を示す図である。
【図４】第２の実施の形態に係る包装箱の全体構造を示す斜視図である。
【図５】第２の実施の形態に係る包装箱の展開図である。
【図６】第２の実施に形態に係る包装箱を用いた店頭陳列状態の例を示す図である。
【図７】第３の実施の形態に係る包装箱の全体構造を示す斜視図である。
【図８】第３の実施の形態に係る包装箱の展開図である。
【図９】第３の実施に形態に係る包装箱を用いた店頭陳列状態の例を示す図である。
【符号の説明】
１    包装箱
２    正面板
３    背面板
４    側面板
８    詰替え洗剤用スタンディングパウチ（被包装物）
９    被包装物を模した意匠
１０  カットテープ
１２  切断用の切り込み
１３  窓部
２１  天面板
２２  背面板
２３  底面板
２４  正面板
２７  糊代片
２８  容器入り粉末洗剤
２９  被包装物を模した意匠
【図１】
2004231255.tif 000004
【図２】
2004231255.tif 000005
【図３】
2004231255.tif 000006
【図４】
2004231255.tif 000007
【図５】
2004231255.tif 000008
【図６】
2004231255.tif 000009
【図７】
2004231255.tif 000010
【図８】
2004231255.tif 000011
【図９】
2004231255.tif 000012